(57)【要約】【課題】８０型や９０型といった大型で薄型の液晶パネルのねじれを抑制するベゼル構造を備える液晶表示モジュールを提供する。【解決手段】８０型や９０型といった大型で薄型の液晶表示モジュール１００のベゼル構造１２０は、液晶パネル１１０の４隅のコーナー付近に分離部ｄがない長手方向を「コの字」型の一体成型とした上辺ベゼル１２１及び下辺ベゼル１２２から構成されている。上辺ベゼル１２１及び下辺ベゼル１２２は、液晶パネル１１０の横中央部分で分けられるので、液晶パネル１１０の左側と右側の横中央部分に分離部ｄがある。このようにベゼル構造１２０には、４隅のコーナー付近に分離部ｄがないので、ベゼル構造１２０は液晶パネル１１０を保持する力が強くなり、ベゼル構造１２０に液晶パネル１１０全体の荷重が掛けられても液晶パネル１１０のねじれを抑えることができる。【選択図】図１
2014194489.tif 000002
【特許請求の範囲】
【請求項１】
液晶パネルを保持するベゼル構造において、
前記液晶パネルの辺の中央部分のみに分離部を有することを特徴とする液晶表示モジュール。
【請求項２】
前記中央部分は短辺の中央部分であることを特徴とする請求項１に記載の液晶表示モジュール。
【請求項３】
前記辺は、前記短辺の中央部分でコの字に分離されることを特徴とする請求項２に記載の液晶表示モジュール。
【請求項４】
前記中央部分は長辺の中央部分であることを特徴とする請求項１に記載の液晶表示モジュール。
【請求項５】
前記辺は、前記長辺の中央部分でコの字に分離されることを特徴とする請求項４に記載の液晶表示モジュール。
【発明の詳細な説明】
【技術分野】
【０００１】
本発明は、液晶パネルとバックライトを備える液晶表示モジュールに係り、特に液晶パネルの外枠フレームに取り付けられるベゼルにより液晶パネルが保持される液晶表示モジュールに関する。
【背景技術】
【０００２】
液晶パネルとバックライトを備える液晶表示モジュールは、ベゼルにより液晶パネルが保持されている。従来のベゼルの取り付け構造について、図４と図５を用いて説明する。
【０００３】
図４（１）に示す従来の液晶表示モジュール４００の液晶パネル４１０は、上辺長手ベゼル４２１、下辺長手ベゼル４２２、左辺短手ベゼル４２３、及び右辺短手ベゼル４２４の４つの部分（以下、「ピース」という）から構成されるベゼル構造４２０で保持されている。このようなベゼル構造４２０において、上辺長手ベゼル４２１と左辺短手ベゼル４２３は、液晶パネル４１０の上左側における角のコーナー部分（以下、「コーナー」という）で分けられるので、コーナーに分離部ｄができる。同様に、上辺長手ベゼル４２１と右辺短手ベゼル４２４は、液晶パネル４１０の上右側のコーナーで分けられるので、コーナーに分離部ｄができる。また、下辺長手ベゼル４２２と左辺短手ベゼル４２３は、液晶パネル４１０の下左側のコーナーで分けられるので、コーナーに分離部ｄができる。同様に、下辺長手ベゼル４２２と右辺短手ベゼル４２４は、液晶パネル４１０の下右側のコーナーで分けられるので、コーナーに分離部ｄができる。また、上辺長手ベゼル４２１の両端にネジ４２１ａ、４２１ｂが差し込まれることで、上辺長手ベゼル４２１が液晶パネル４１０に固定される。同様に、下辺長手ベゼル４２２の両端にネジ４２２ａ、４２２ｂが差し込まれることで、下辺長手ベゼル４２２が液晶パネル４１０に固定される。左辺短手ベゼル４２３の両端にネジ４２３ａ、４２３ｂが差し込まれることで、左辺短手ベゼル４２３が液晶パネル４１０に固定される。右辺短手ベゼル４２４の両端にネジ４２４ａ、４２４ｂが差し込まれることで、右辺短手ベゼル４２４が液晶パネル２１０に固定される。しかし、図４（１）に示すように、ベゼル構造４２０の分離部ｄは、液晶パネル４１０の４隅のコーナーにあるため、ベゼル構造４２０が非常に弱い構造となり、液晶パネル４１０にねじれが発生することがあった。このため、分離部ｄを金属のビス締めで結合していた。
【０００４】
図４（２）に示す従来の液晶パネル５１０を備える液晶表示モジュール５００は、液晶表示モジュール４００のベゼル構造４２０に比べると、液晶パネル５１０のねじれを抑制できる構造である。図４（２）に示す従来の液晶表示モジュール５００の液晶パネル５１０は、上辺長手ベゼル５２１、下辺長手ベゼル５２２、左辺短手ベゼル５２３、及び右辺短手ベゼル５２４の４つのピースから構成されるベゼル構造５２０で保持されている。このようなベゼル構造５２０において、上辺長手ベゼル５２１と左辺短手ベゼル５２３は、液晶パネル４１０の上左側のコーナーより少し内側で分けられるので、コーナーより少し内側に分離部ｄができる。同様に、上辺長手ベゼル５２１と右辺短手ベゼル５２４は、液晶パネル４１０の上右側のコーナーより少し内側で分けられるので、コーナーより少し内側に分離部ｄができる。また、下辺長手ベゼル５２２と左辺短手ベゼル５２３は、液晶パネル４１０の下左側のコーナーより少し内側で分けられるので、コーナーより少し内側に分離部ｄができる。同様に、下辺長手ベゼル５２２と右辺短手ベゼル５２４は、液晶パネル４１０の下右側のコーナーより少し内側で分けられるので、コーナーより少し内側に分離部ｄができる。また、上辺長手ベゼル５２１の両端にネジ５２１ａ、５２１ｂが差し込まれることで、上辺長手ベゼル５２１が液晶パネル５１０に固定される。同様に、下辺長手ベゼル５２２の両端にネジ５２２ａ、５２２ｂが差し込まれることで、下辺長手ベゼル５２２が液晶パネル５１０に固定される。左辺短手ベゼル５２３の両端にネジ５２３ａ、５２３ｂが差し込まれることで、左辺短手ベゼル５２３が液晶パネル５１０に固定される。右辺短手ベゼル５２４の両端にネジ５２４ａ、５２４ｂが差し込まれることで、右辺短手ベゼル５２４が液晶パネル２１０に固定される。液晶表示モジュール５００においては、分離部ｄは液晶パネル５１０のコーナーではなく、液晶パネル５１０の上側及び下側のコーナー付近であり、この分離部ｄを金属のビス締めで結合するようにしていた。このような構造とすることで、液晶表示モジュール５００のベゼル構造５２０は、図４（１）に示すように液晶パネル４１０の４隅のコーナーに分離部ｄがある液晶表示モジュール４００のベゼル構造４２０に比べて、液晶パネル５１０のねじれを抑制することができる。
【０００５】
しかし、８０型や９０型といった大型で薄型の液晶パネルにおいては、液晶パネルの外枠フレームの幅が狭くなるので、ベゼルのピースの繋ぎ目である分離部ｄにビス締め部を設けることができない。このため、分離部ｄを金属のビス締めで結合することができなかった。従って、８０型や９０型といった大型で薄型の液晶パネルにおけるベゼル構造の分離部ｄは、ビス締めによる結合を行わず、Ｐシャーシと呼ばれる成型品を用いてベゼルの分離部ｄをベゼルの内側で結合している。
【０００６】
液晶モジュールにおいて、液晶パネルを囲むベゼルの連結部分に段差が生じないようにする技術として特開２０１０−２７１６６０号公報（特許文献１）を挙げることができる。特許文献１に開示の技術では、多少の変形や歪みがあっても、連結部分における両方のベゼル端部の高さを揃えて段差をなくす液晶モジュールを提供している。また、液晶表示装置においてベゼルの変形を防止する技術として特開２００２−６２９２号公報（特許文献２）を挙げることができる。特許文献２に開示の技術では、フレーム（Ｐシャーシ）とベゼルの間のベゼル側に突部を形成することで、ベゼルの変形を防止し、またベゼルがフレームから浮くことでバックライトの光がフレームとベゼルの間から漏れることを防止する液晶表示装置を提供している。
【先行技術文献】
【特許文献】
【０００７】
【特許文献１】特開２０１０−２７１６６０号公報
【特許文献２】特開２００２−６２９２号公報
【発明の概要】
【発明が解決しようとする課題】
【０００８】
上記のように、特許文献１に開示の技術における液晶モジュールは、４隅付近でベゼルを結合してその高さを揃えて段差をなくすようにすることで、液晶モジュールの変形や歪みをなくし、また外観が損なわれないようにしている。また、特許文献２に開示の技術における液晶表示装置は、ベゼルの構成を四角の枠状に繋がった一体とし、またベゼル側に突部を形成することで、ベゼルの変形を防止し、ベゼルの変形によりフレーム（Ｐシャーシ）とベゼルの間からバックライトの光が漏れないようにしている。
【０００９】
８０型や９０型といった大型で薄型の液晶パネル５１０においては、例えば、図５（１）に示す液晶パネル５１０のベゼル構造５２０に、液晶パネル５１０全体の荷重が掛けられる。しかし、ベゼル構造５２０は、液晶パネル５１０の上側と下側のコーナー付近には４つの分離部ｄがあるので、８０型や９０型といった大型で薄型の液晶パネル５１０が図５（３）に示すようにねじれる。つまり、ベゼル構造５２０は、液晶パネル５１０のコーナー付近で液晶パネル５１０を保持する力が弱いので、液晶パネル５１０の上面５３０と下面５４０が中心に対して反対方向に位置がずれることで液晶パネル５１０にねじれが生ずる。このため、特許文献１のように、４隅付近でベゼルを結合してその高さを揃えるだけでは、液晶パネル５１０のねじれを抑制することができない。これに対し、特許文献２のように、ベゼルの構成を四角の枠状に繋がった一体成型とすることで、液晶パネル５１０のねじれを抑制することができる。しかし、８０型や９０型といった大型で薄型の液晶パネル５１０において、ベゼル構造５２０のように４つのピースに分けるのでなく、特許文献２のように四角の枠状に繋がった一体成型のベゼルにすると、ベゼルの金型自体が大きくなるので、ベゼルの製造コストが高くなる。
【００１０】
本発明はこのような状況に鑑みてなされたものであり、上記課題を解決できる技術を提供することを目的とする。
【課題を解決するための手段】
【００１１】
本発明の液晶表示モジュールは、液晶パネルを保持するベゼル構造において、前記液晶パネルの辺の中央部分のみに分離部を有することを特徴としている。
また、本発明の液晶表示モジュールの前記中央部分は短辺の中央部分であることを特徴としている。
また、本発明の液晶表示モジュールの前記辺は、前記短辺の中央部分でコの字に分離されることを特徴としている。
また、本発明の液晶表示モジュールの前記中央部分は長辺の中央部分であることを特徴としている。
また、本発明の液晶表示モジュールの前記辺は、前記長辺の中央部分でコの字に分離されることを特徴としている。
【発明の効果】
【００１２】
本発明によれば、８０型や９０型といった大型で薄型の液晶パネルのねじれを抑制し、また高いコストを掛けずに製造が可能なベゼルによって液晶パネルが保持される液晶表示モジュールを提供できる。
【図面の簡単な説明】
【００１３】
【図１】本発明の実施形態に係る液晶表示モジュールのベゼル構造及びベゼル構造におけるねじれを説明する図である。
【図２】本発明の実施形態に係る液晶パネルのねじれに対する許容目標値を示す図である。
【図３】本発明の実施形態に係る液晶表示モジュールのベゼル構造に類似する他のベゼル構造の例を示す図である。
【図４】従来の液晶表示モジュールのベゼル構造を示す図である。
【図５】従来の液晶表示モジュールのベゼル構造及びベゼル構造におけるねじれを説明する図である。
【発明を実施するための形態】
【００１４】
以下、本発明を実施するための形態（以下、実施形態という）を、図面を参照して説明する。本発明の実施形態は、ベゼル構造を上辺と下辺の２つのピースに分けこの２つのピースを「コの字（Ｕの字）」の一体成型とすることで剛性を持たせ、４隅のコーナーをこの一体成型のベゼルで保持することで、液晶パネルのねじれを抑制するものである。
【００１５】
まず、実施形態のベゼル構造について、図１（１）を用いて説明する。図１（１）に示す液晶表示モジュール１００が備える液晶パネル１１０は、ベゼル構造１２０（図示せず）で保持されている。ベゼル構造１２０は、上辺ベゼル１２１と下辺ベゼル１２２の２つの「コの字」の一体成型であるピースで構成されている。このようなベゼル構造１２０において、図１の拡大図に示すように、上辺ベゼル１２１のコーナーは一体成型されているので、コーナーに分離部ｄがない。同様に、下辺ベゼル１２２のコーナーは一体成型されているので、コーナーに分離部ｄがない。上辺ベゼル１２１と下辺ベゼル１２２は、液晶パネル１１０の横中央部分で分けられるので、液晶パネル１１０の左側と右側の横中央部分に分離部ｄがある。また、上辺ベゼル１２１の両端にネジ１２１ａ、１２１ｂが差し込まれることで、上辺ベゼル１２１が液晶パネル１１０に固定される。同様に、下辺ベゼル１２２の両端にネジ１２２ａ、１２２ｂが差し込まれることで、下辺ベゼル１２２が液晶パネル１１０に固定される。
【００１６】
このような図１（１）に示す８０型や９０型といった大型で薄型の液晶パネル１１０においては、図１（２）に示す液晶パネル１１０のベゼル構造１２０に、液晶パネル１１０全体の荷重が掛けられる。しかし、ベゼル構造１２０は、液晶パネル１１０の上側と下側の４隅のコーナーには分離部ｄがない長手方向を「コの字」型の一体成型とした上辺ベゼル１２１及び下辺ベゼル１２２から構成されているので、８０型や９０型といった大型で薄型の液晶パネル１１０が図１（３）に示すようにねじれを抑制できる。つまり、ベゼル構造１２０は、液晶パネル１１０のコーナー付近で液晶パネル１１０を保持する力が強いので、液晶パネル１１０の上面１３０と下面１４０が中心に対して反対方向に位置がずれることによる液晶パネル１１０のねじれを抑制することができる。図２に、液晶パネル１１０におけるねじれに対する設計上における目標の許容角度（以下、「目標許容角度」という）を示す。目標許容角度は、外観を損ねることなく高い品位を保つためにねじれに対して許容される角度である。ベゼル構造１２０を備える液晶表示モジュール１００の液晶パネル１１０においては、上面１３０のねじれを測定すると、図２に示す目標許容角度である０．５度の範囲以内となる。また、上辺ベゼル１２１と下辺ベゼル１２２は、同じ「コの字」型のピースであるので、同じ金型を使用して製造することができる。
【００１７】
次に、実施形態における液晶表示モジュール１００のベゼル構造１２０に類似する他のベゼル構造の例について、図３を用いて説明する。
【００１８】
図３（１）に示す液晶表示モジュール１００のベゼル構造１２０は、前述したように、液晶パネル１１０の左側と右側の横中央部分に分離部ｄがある。また、上辺ベゼル１２１と下辺ベゼル１２２は、同じ「コの字」型のピースとなるので、１台当たり２つのピースである。
【００１９】
図３（２）に示す液晶表示モジュール２００が備える液晶パネル２１０は、左辺ベゼル２２１と右辺ベゼル２２２の２つの「コの字」の一体成型であるピースで構成されるベゼル構造２２０で保持されている。このようなベゼル構造２２０において、左辺ベゼル２２１のコーナーは一体成型されているので、コーナーに分離部ｄがない。同様に、右辺ベゼル２２２のコーナーは一体成型されているので、コーナーに分離部ｄがない。左辺ベゼル２２１と右辺ベゼル２２２は、液晶パネル２１０の縦中央部分で分けられるので、液晶パネル２１０の上側と下側の縦中央部分に分離部ｄがある。また、左辺ベゼル２２１の両端にネジ２２１ａ、２２１ｂが差し込まれることで、左辺ベゼル２２１が液晶パネル２１０に固定される。同様に、右辺ベゼル２２２の両端にネジ２２２ａ、２２２ｂが差し込まれることで、右辺ベゼル２２２が液晶パネル２１０に固定される。このように、ベゼル構造２２０は、液晶パネル２１０の上側と下側の縦中央部分に分離部ｄがある。また、左辺ベゼル２２１と右辺ベゼル２２２は、同じ「コの字」型のピースとなるので、１台当たり２つのピースである。
【００２０】
図３（３）に示す液晶表示モジュール３００が備える液晶パネル３１０は、左上辺ベゼル３２１、右上辺ベゼル３２２、左下辺ベゼル３２３、及び右下辺ベゼル３２４の４つの「コの字」の一体成型であるピースで構成されるベゼル構造３２０で保持されている。このようなベゼル構造３２０において、左上辺ベゼル３２１のコーナーは一体成型されているので、コーナーに分離部ｄがない。同様に、右上辺ベゼル３２２のコーナーは一体成型されているので、コーナーに分離部ｄがない。左下辺ベゼル３２３のコーナーは一体成型されているので、コーナーに分離部ｄがない。右下辺ベゼル３２４のコーナーは一体成型されているので、コーナーに分離部ｄがない。左上辺ベゼル３２１と右上辺ベゼル３２２は、液晶パネル３１０の上側の縦中央部分で分けられるので、液晶パネル３１０の上側の縦中央部分に分離部ｄがある。左上辺ベゼル３２１と左下辺ベゼル３２３は、液晶パネル３１０の左側の横中央部分で分けられるので、液晶パネル３１０の左側の横中央部分に分離部ｄがある。右上辺ベゼル３２２と右下辺ベゼル３２４は、液晶パネル３１０の右側の横中央部分で分けられるので、液晶パネル３１０の右側の横中央部分に分離部ｄがある。左下辺ベゼル３２３と右下辺ベゼル３２４は、液晶パネル３１０の下側の縦中央部分で分けられるので、液晶パネル３１０の下側の縦中央部分に分離部ｄがある。また、左上辺ベゼル３２１の両端にネジ３２１ａ、３２１ｂが差し込まれることで、左上辺ベゼル３２１が液晶パネル３１０に固定される。同様に、右上辺ベゼル３２２の両端にネジ３２２ａ、３２２ｂが差し込まれることで、右上辺ベゼル３２２が液晶パネル３１０に固定される。左下辺ベゼル３２３の両端にネジ３２３ａ、３２３ｂが差し込まれることで、左下辺ベゼル３２３が液晶パネル３１０に固定される。右下辺ベゼル３２４の両端にネジ３２４ａ、３２４ｂが差し込まれることで、右下辺ベゼル３２４が液晶パネル３１０に固定される。このように、ベゼル構造３２０は、液晶パネル３１０の上側と下側の縦中央部分、及び左側と右側の横中央部分に分離部ｄがある。また、左上辺ベゼル３２１、右上辺ベゼル３２２、左下辺ベゼル３２３、及び右下辺ベゼル３２４は、同じ「くの字」型のピースとなるので、１台当たり４つのピースである。
【００２１】
次に、図３（１）に示す液晶表示モジュール１００のベゼル構造１２０、図３（２）に示す液晶表示モジュール２００のベゼル構造２２０、及び図３（３）に示す液晶表示モジュール３００のベゼル構造３２０の強さを比較する。この中で最も強い構造は、液晶パネル１１０の横中央部分に分離部ｄがあるベゼル構造１２０である。長辺と短辺の辺を有するベゼル構造において、液晶パネルの荷重を受ける長辺に分離部ｄがあると、長辺の方向に液晶パネルが撓むため、長辺全体でその荷重を受ける。このため、長辺を“コの字”型の一体フレーム形状にすると、長辺に分離部ｄがないので強くなり、液晶パネルの撓みを抑制できる。従って、縦中央部分に分離部ｄがないベゼル構造１２０の方が、縦中央部分に分離部ｄがあるベゼル構造２２０より強い構造になる。この中で最も弱いベゼル構造は、液晶パネル３１０の縦中央部分及び横中央部分の４つの分離部ｄがあるベゼル構造３２０である。ベゼル構造３２０は、１台当たり４ピースであるので金型が小さくなり、製造コストを下げることができるが、長辺及び短辺に分離部ｄがあるので最も弱い構造となる。
以上により、最も強い構造はベゼル構造１２０となり、次に強い構造はベゼル構造２２０となり、この中で最も弱い構造はベゼル構造３２０となる。このように、これらの３つのベゼル構造１２０、ベゼル構造２２０、及びベゼル構造３２０には強弱はあるが、４隅のコーナー付近に分離部ｄがないので、従来のベゼル構造４２０及びベゼル構造５２０に比べると強い構造である。従って、ベゼル構造１２０、ベゼル構造２２０、及びベゼル構造３２０は、８０型や９０型といった大型で薄型の液晶パネルを備える液晶表示モジュールに適用することができる。
【００２２】
なお、実施形態においては、ベゼル構造１２０の上辺ベゼル１２１の両端にネジ１２１ａ、１２１ｂが差し込まれ、ベゼル構造１２０の下辺ベゼル１２２の両端にネジ１２２ａ、１２２ｂが差し込まれることで、上辺ベゼル１２１及び下辺ベゼル１２２を液晶パネル１１０に固定するようにしたが、上辺ベゼル１２１及び下辺ベゼル１２２が液晶パネル１１０に固定できるのであれば、このようなネジで固定することに限定されない。また、目標許容角度を０．５度として設定したが、液晶表示パネルの外観を損ねることなく高い品位を保つことができれば、この数値に限定されない。また、ベゼル構造１２０において、液晶パネル１１０の左側と右側の横中央部分に分離部ｄがある構造としたが、実施形態による効果がある範囲であれば、横中央部分に多少の誤差があってもよい。ベゼル構造２２０において、液晶パネル２１０の上側と下側の縦中央部分に分離部ｄがある構造としたが、実施形態による効果がある範囲であれば、縦中央部分に多少の誤差があってもよい。同様に、ベゼル構造３２０において、液晶パネル３１０の上側と下側の縦中央部分と左側と右側の横中央部分に分離部ｄがある構造としたが、実施形態による効果がある範囲であれば、縦中央部分と横中央部分に多少の誤差があってもよい。
【００２３】
以上の実施形態の液晶表示モジュール１００によれば、ベゼル構造１２０の長手方向を液晶パネル１１０の４隅のコーナー付近に分離部ｄがない「コの字」型の一体成型の上辺ベゼル１２１及び下辺ベゼル１２２から構成することで剛性を持たせ、液晶パネル１１０のねじれを抑制する。また、液晶パネル１１０のねじれを抑制することで、８０型や９０型といった大型で薄型の高額な液晶表示モジュール１００において、外観の品質の完成度を高めることができる。また、ベゼル構造１２０は、上辺ベゼル１２１及び下辺ベゼル１２２の１台当たり２ピースであるので、四角の枠状に繋がった一体成型のベゼルに比べると金型が小さくなり、製造コストを下げることができる。
【００２４】
このような実施形態により、８０型や９０型といった大型で薄型の液晶パネルのねじれを抑制し、また高いコストを掛けずに製造が可能なベゼルにより液晶パネルが保持される液晶表示モジュールを提供できる。
【００２５】
以上、本発明の実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００２６】
１００・・・・・・・・液晶表示モジュール
１１０・・・・・・・・液晶パネル
１２０・・・・・・・・ベゼル構造
１２１・・・・・・・・上辺ベゼル
１２１ａ、１２１ｂ・・ネジ
１２２・・・・・・・・下辺ベゼル
１２２ａ、１２２ｂ・・ネジ
１３０・・・・・・・・液晶パネルの上面
１４０・・・・・・・・液晶パネルの下面
２００・・・・・・・・液晶表示モジュール
２１０・・・・・・・・液晶パネル
２２０・・・・・・・・ベゼル構造
２２１・・・・・・・・左辺ベゼル
２２１ａ、２２１ｂ・・ネジ
２２２・・・・・・・・右辺ベゼル
２２２ａ、２２２ｂ・・ネジ
３００・・・・・・・・液晶表示モジュール
３１０・・・・・・・・液晶パネル
３２０・・・・・・・・ベゼル構造
３２１・・・・・・・・左上辺ベゼル
３２１ａ、３２１ｂ・・ネジ
３２２・・・・・・・・右上辺ベゼル
３２２ａ、３２２ｂ・・ネジ
３２３・・・・・・・・左下辺ベゼル
３２３ａ、３２３ｂ・・ネジ
３２４・・・・・・・・右下辺ベゼル
３２４ａ、３２４ｂ・・ネジ
４００・・・・・・・・液晶表示モジュール
４１０・・・・・・・・液晶パネル
４２０・・・・・・・・ベゼル構造
４２１・・・・・・・・上辺長手ベゼル
４２１ａ、４２１ｂ・・ネジ
４２２・・・・・・・・下辺長手ベゼル
４２２ａ、４２２ｂ・・ネジ
４２３・・・・・・・・左辺短手ベゼル
４２３ａ、４２３ｂ・・ネジ
４２４・・・・・・・・右辺短手ベゼル
４２４ａ、４２４ｂ・・ネジ
５００・・・・・・・・液晶表示モジュール
５１０・・・・・・・・液晶パネル
５２０・・・・・・・・ベゼル構造
５２１・・・・・・・・上辺長手ベゼル
５２１ａ、５２１ｂ・・ネジ
５２２・・・・・・・・下辺長手ベゼル
５２２ａ、５２２ｂ・・ネジ
５２３・・・・・・・・左辺短手ベゼル
５２３ａ、５２３ｂ・・ネジ
５２４・・・・・・・・右辺短手ベゼル
５２４ａ、５２４ｂ・・ネジ
５３０・・・・・・・・液晶パネルの上面
５４０・・・・・・・・液晶パネルの下面
【図１】
2014194489.tif 000003
【図２】
2014194489.tif 000004
【図３】
2014194489.tif 000005
【図４】
2014194489.tif 000006
【図５】
2014194489.tif 000007